Podtech/llm-jp-corpus-v4-ja_patent huggingface dataset:
(57)【要約】      （修正有）【課題】不使用時に垂れ下がるコードなどの紐類を巻回整理する巻回整理具の提供。【解決手段】一側面に装着手段１を備えた装着台座２と、該台座の他側面に対向的に設けられた基端部４が台座２と連なり、先端部が解放するフック杆３とでなり、前記フック杆の基端部は、少なくとも先端部が装着台座側に回動付勢されるように装着台座に弾性的に連結されている紐類の巻回整理具。【選択図】図１
0003112706.tif 000002
【実用新案登録請求の範囲】
【請求項１】
一側面に装着手段を備えた装着台座と、該台座の他側面に対向的に設けられた基端部が台座と連なり、先端部が解放するフック杆とでなる紐類の巻回整理具において、
前記フック杆の基端部は、少なくとも先端部が装着台座側に回動付勢されるように装着台座に弾性的に連結されていることを特徴とする紐類の巻回整理具。
【請求項２】
請求項１記載のフック杆は、その先端部と基端部との間の杆部がこれと対向する装着台座との間に大きな巻回空間を形成するための屈曲部を有していることを特徴とする紐類の巻回整理具。
【考案の詳細な説明】
【技術分野】
【０００１】
本考案は、紐類を巻回整理するいわゆる紐類の巻回整理具の技術分野に属する。
【技術背景】
【０００２】
紐類として例えば電気器具に連なるコードが挙げられる。電気器具では不使用時に電源から抜いたプラグ付きコードが垂れ下がって邪魔になることからコードを適当な紐などで結束することが一般的であるが、結束作業は煩雑であることとまた、結束したコードを床面などに置きざらしにする場合が多いことから見苦しい問題は避け難い。
【０００３】
従来、前記問題を解決するために電気器具の背面左右側に間隔をおいてフックを配設し、この左右のフックにコードを懸け渡し状に巻回整理するものは知られている。
【考案の開示】
【考案が解決しようとする課題】
【０００４】
コードを懸け渡し状に巻回整理するようにした電気器具では、フックが器具本体裏面などに隠れて位置固定して設けられているために、ときには電気器具をわざわざ移動させてフックを手前側に露出させた状態でコードの巻付けおこなわねばならぬなど煩雑な問題がある。
【０００５】
本考案は、このような問題点を考慮してなされたもので、巻回整理具を巻回整理のし易い任意の位置に装着使用させると共に、巻回操作の容易性と確実に巻回することのできる各種紐類の巻回整理具を提供することを課題とする。
【０００６】
前述の課題を解決するために、本考案に係わる紐類の巻回整理具は、実用新案登録請求の範囲の各請求項に記載の手段を採用する。
【０００７】
即ち、請求項１では、一側面に装着手段を備えた装着台座と、該台座の他側面に対向的に設けられた基端部が台座と連なり、先端部が解放するフック杆とでなる紐類の巻回整理具において、
前記フック杆の基端部は、少なくとも先端部が装着台座側に回動付勢されるように装着台座に弾性的に連結されていることを特徴とする。
【０００８】
この手段では、装着台座の一側面を装着手段を介して任意の装着面に固定され、そしてフックに紐類をリング状に巻いて挿入させ、また挿入時にはフック杆を弾性に抗して大きく開かせることにより容易に挿入させ得る。
【０００９】
また、請求項２では、請求項１記載のフック杆は、その先端部と基端部との間の杆部がこれと対向する装着台座との間に大きな巻回空間を形成するの屈曲部を有していることを特徴とする。
【００１０】
この手段によれば、フック杆に設けた屈曲部によってフック杆とこれと対向する装着台座の他側面との間の空間が大きくなり、この空間に多数巻きした紐類でもゆとりをもって吊下げ状に挿入し得る。
【考案の効果】
【００１１】
請求項１の本考案に係わる紐類の巻回整理具は、電気器具の平坦面や家屋の壁面など任意の被取付部に装着させて垂れ下がる各種紐類を簡単にかつ見栄え良く巻回整理することができる効果がある。
また、巻回整理された紐類は、フック杆の装着台座側への回動付勢によって、むやみに整理具から離脱することがない効果がある。
【００１２】
さらに請求項２の本考案に係わる紐類の巻回整理具は、フック杆の先端部と基端部との間に設けた屈曲部によって装着台座との間に大きな巻付空間を形成させたので、余り紐が長いことなどにより多数巻に巻回された紐類を余裕を持って巻回整理することができる効果がある。
【実施例】
【００１３】
以下、本考案に係わる紐類の巻回整理具を実施するための最良の形態を図面に基づいて説明する。
【００１４】
図１〜４は本考案に係わる紐類の巻回整理具を実施するための最良の形態の第１の実施例を示し、図５は第２の実施例を示すものである。
【００１５】
先ず、図１〜４の第１の実施例について述べると、一側面に後述の装着手段１を備えた縦長状の装着台座２と、装着台座２の他側面にフック杆３が対向的に設けられている。
【００１６】
フック杆３と装着台座２は図２のように樹脂成形により一体形成され、かつフック杆３の基端部４は樹脂弾性により、フック杆３の少なくとも先端解放端５が装着台座側に回動付勢されるように弾性的に連結されている。
【００１７】
フック杆３の外側下部には、フック杆３をその弾性に抗して開き操作するための指当て用突部６が設けられている。
【００１８】
前記装着台座２に設けられた装着手段１としては、本例では装着台座２側に通称マジックテープと呼ばれる面ファスナー１ａが固着され、この面ファスナー１ａと係止する別の面ファスナー１ｂが電気器具などの相手側に設けられる。
【００１９】
本考案の紐類の巻回整理具は、例えば図１のように電気器具Ａの任意の平坦な面に前記面ファスナー１ｂを粘着テープなどで固定しておき、そしてこの面ファスナー１ｂに巻回整理具側の面ファスナー１ａを係止させることにより、巻回整理具の取付を完了することができる。
また面ファスナー１ａ、１ｂ同志の分離可能な係合構成により、必要に応じて巻回整理具の設置位置を繰り返し変更することができる。    
【００２０】
図５の第２の実施例は、フック杆３を軸７により回動自在に軸支し、フック杆３に、軸７に巻装した棒ばね８を弾接せしめて、フック杆３を装着台座２側に第１の実施例同様回動付勢した変形例である。
【図面の簡単な説明】
【００２１】
【図１】本考案に係わる紐類の巻回整理具を実施するための最良の形態の第１の実施例の斜視図である。
【図２】図１の側面図である。
【図３】図１の平面図である。
【図４】装着手段を示す斜視図である。
【図５】本考案に係わる紐類の巻回整理具を実施するための最良の形態の第２の実施例の側面図である。
【符号の説明】
【００２２】
１          装着手段
１ａ        面ファスナー
１ｂ        面ファスナー
２          装着台座
３          フック杆
４          基端部
５          先端解放端
６          指当て用突部
７          軸
８          棒ばね
Ａ          電気器具
【図１】
0003112706.tif 000003
【図２】
0003112706.tif 000004
【図３】
0003112706.tif 000005
【図４】
0003112706.tif 000006
【図５】
0003112706.tif 000007
(57)【要約】【課題】  熟練者でなくても、誤差を生じることなく正確な勾配の墨出し作業が連続してできる建築用勾配定規を提供することを目的とする。【解決手段】  縦、横巾寸法を凡そ２ｃｍで断面Ｌ型となしたサッシ部材を使用し、長さ寸法を６０ｃｍ〜７０ｃｍの範囲で凡そ１ｍｍ巾間隔の隙間が形成されるように対合止着させた保持部材を作成し、該保持部材の上記隙間内へ市販の曲尺を挟持させ、該曲尺を山型状に前方へ突出させた状態に於ける曲尺の長手と妻手の特定目盛関係位置で形成される傾斜角を使用して屋根垂木や隅木或いは階段の勾配などの墨出し作業を行うことを特徴とする。【選択図】      図１
0003112567.tif 000002
【実用新案登録請求の範囲】
【請求項１】
縦、横巾寸法を凡そ２ｃｍで断面Ｌ型となしたサッシ部材を使用し、長さ寸法を６０ｃｍ〜７０ｃｍの範囲で凡そ１ｍｍ巾間隔の隙間が形成されるように対合止着させた保持部材を作成し、該保持部材の上記隙間内へ市販の曲尺を挟持させ、該曲尺を山型状に前方へ突出させた状態に於ける曲尺の長手と妻手の特定目盛関係位置で形成される傾斜角を使用して屋根垂木や隅木或いは階段の勾配などの墨出し作業を行うことを特徴とする建築用勾配定規。
【請求項２】
上記接合させた保持部材は、両端部と中央部付近で止着させたものとなしてあることを特徴とした請求項１記載の建築用勾配定規。
【考案の詳細な説明】
【技術分野】
【０００１】
本考案は、建築現場に於ける屋根垂木や隅木、或いは階段の勾配などの墨出し作業を行うための建築用勾配定規に関する。
【背景技術】
【０００２】
従来、木造建築の作業に於いて屋根垂木や隅木、或いは階段などの勾配の墨出しや計り出し作業のための道具として、専らＬ字形をなした金属製の定規（差し金）が使われている。
また従来の曲尺の他に勾配定規として、下記に示す実開平２−６２０２１号や特開２０００−２６５６６９号などがある。
【特許文献１】実開平２−６２０２１号
【特許文献１】特開２０００−２６５６６９号
【考案の開示】
【考案が解決しようとする課題】
【０００３】
ところで、従来建築現場では垂木や隅木、また階段などの傾斜角を有する勾配の墨出し作業をするさい、差し金を単独で使用したり、また差し金と別の物差しを組合わせたりして適宜作業を行っているが、これらの作業は１箇所ずつ手作業で行う場合が多く、このため連続した場合の墨出し作業では手元がずれて寸法を誤ったり、誤差を生じたりして作業性が悪かった。また熟練者でなければ正確な墨出しの作業ができないなどの問題もあった。
本考案は上記問題点を解決して、誤差を生じることなく正確な勾配の墨出し作業が連続してできる建築用勾配定規を提供することを目的とするものである。
【課題を解決するための手段】
【０００４】
本考案は縦、横巾寸法を凡そ２ｃｍで断面Ｌ型となしたサッシ部材を使用し、長さ寸法を６０ｃｍ〜７０ｃｍの範囲で凡そ１ｍｍ巾間隔の隙間が形成されるように対合止着させた保持部材を作成し、該保持部材の隙間内へ市販の曲尺を挟持させ、該曲尺を山型状に前方へ突出させた状態に於ける曲尺の長手と妻手の特定目盛関係位置で形成される傾斜角を使用して屋根垂木や隅木或いは階段の勾配などの墨出し作業を行うことを特徴とする。このさい、サッシ部材の垂直面に於いて、両端部と中央部付近で止着させたものとなすのである。
【考案の効果】
【０００５】
本考案は以上の通り構成するものであって、断面Ｌ型となした保持部材を、凡そ１ｍｍ巾間隔の隙間が形成されるように対合止着させることは、該保持部材の隙間内へ市販の曲尺がそのままの状態で一定の挟持圧力下で、且つ摺動可能に保持させることができるのであり、従ってこのものの使用では曲尺の長手と妻手をサッシ部材の隙間内で適宜摺動させながら両者の特定目盛位置関係の設定が簡便且つ迅速に行えるものとなる。
【０００６】
またＬ型のサッシ部材が既製品として安価に入手でき、且つ曲尺を挟持するＬ型の水平部分が手指で持ち易く、また前方の垂直面は加工材への当接を容易ならしめるものとなる。
【考案を実施するための最良の形態】
【０００７】
本考案の実施の形態について、以下図面を参照して説明する。
図１は本考案に係る建築用勾配定規の斜視図である。２は市販の曲尺、１は該曲尺２を挟圧保持させるための保持部材であって、図１に示す如く縦、横巾寸法ｍ，ｎを凡そ２ｃｍ、長さ寸法Ｐを６０ｃｍ〜７０ｃｍの範囲で断面をＬ型となしたサッシ部材１ａ，１ｂを使用し、凡そ１ｍｍ巾間隔の隙間ｔが形成されるように両端部及び中央部付近でＮ１、Ｎ２，Ｎ３が対合止着させたものとなしてある。
曲尺２は上記構成の保持部材１の隙間ｔへ挟持させ、山型状に前方へ突出させた状態で適宜摺動させながら、長手２ａと妻手２ｂの特定目盛関係位置で停止させ、該位置で形成される傾斜角を木材に当接させて必要な墨出し作業を行うのである。
【０００８】
図２は本考案に係る建築用勾配定規の使用例である。屋根建材に使用する垂木Ｔ１の墨出し作業をするさい、例えば５寸勾配（曲尺２の長手２ａが１０に対し、妻手２ｂが５の割合）の場合、曲尺２の表目を使用し長手２ａの１０寸目盛と、妻手２ｂの５寸目盛の特定位置関係に保持部材１を合わせたのち、本図に示す如く垂木Ｔ１の側辺ｈ１と保持部材１の屈折辺とを当接させる。Ｒ１，Ｒ２，Ｒ３は必要となる墨付けを示す。図示例は垂木Ｔ１の長さ寸法をＲ１の墨付け点で連続させながら行う状態を示す。
【０００９】
図３は本考案に係る建築用勾配定規の別の使用例である。屋根建材に使用する隅木Ｔ２の墨出し作業をするさい、例えば４寸勾配（曲尺２の長手２ａが１０に対し、妻手２ｂが４の割合）の場合、曲尺２の裏目を使用し長手２ａの１０寸目盛と、妻手２ｂの４寸目盛の特定位置関係に保持部材１を合わせたのち、本図に示す如く隅木Ｔ２の側辺ｈ２と保持部材１の屈折辺とを当接させる。Ｒ１’，Ｒ２’，Ｒ３’は必要となる墨付けを示す。図示例は隅木Ｔ２の長さ寸法をＲ１’の墨付け点で連続させながら行う状態を示す。
【００１０】
図４は本考案に係る建築用勾配定規に於ける別の実施例である。本例では保持部材１ａ，１ｂの対合する垂直面の長さ方向に対しスリットＳを設け、該スリットを介して曲尺２を蝶ネジＮ１’，Ｎ２’で止着させながら使用するものである。
【００１１】
上記実施例では垂木や隅木の長さ寸歩の計り方を例に説明したが、階段の割付勾配の墨出し作業、その他にも使用するのであり、加工組立場は勿論のこと建築現場で簡便な使用を可能にして作業効率の向上に寄与すること大ならしめるものである。
【図面の簡単な説明】
【００１２】
【図１】本考案に係る建築用勾配定規の斜視図である。
【図２】本考案に係る建築用勾配定規の使用例である。
【図３】本考案に係る建築用勾配定規の別の使用例である。
【図４】本考案に係る建築用勾配定規に於ける別の実施例である。
【符号の説明】
【００１３】
１      保持部材
１ａ，１ｂ  サッシ部材
２      曲尺
Ｎ１’，Ｎ２’  蝶ネジ
Ｓ      スリット
Ｔ１    垂木
Ｔ２    隅木
【図１】
0003112567.tif 000003
【図２】
0003112567.tif 000004
【図３】
0003112567.tif 000005
【図４】
0003112567.tif 000006
(57)【要約】【課題】段ボール箱に内容物を充填する際には、耳部は箱部の開口部から垂直に立っており、その結果内容物を充填する位置が段ボール箱の通常の高さより高くなり、作業性に問題があった。また、耳部の角に内容物の包装体が接触し、包装が破損するおそれもあった。【解決手段】段ボール箱の開口部に嵌合する脚部を有することを特徴とする段ボール箱用ロート。段ボール箱の開口部に本考案のロートを簡便に嵌合させることができ、耳部は水平方向に押し広げられ、かつ開口部の高さも低く抑えられることにより作業性は格段に改良され、また、作業終了後は簡単に取り外すことができるという効果を持つ。【選択図】図１
0003112565.tif 000002
【実用新案登録請求の範囲】
【請求項１】
段ボール箱の開口部に嵌合する脚部を有することを特徴とする段ボール箱用ロート。
【考案の詳細な説明】
【技術分野】
【０００１】
本考案は、段ボール箱用ロートに関するものである。
【背景技術】
【０００２】
収納用段ボール箱は通常折り畳まれた形で保管されており、使用時に組み立てて用いられるが、通常は底部のみ組み立て・固定し、内容物を充填したうえで耳部を折り畳んで蓋とし、封をして使用される。このとき、内容物を充填する際には前記耳部は箱部の開口部から垂直に立っており、その結果内容物を充填する位置が段ボール箱の通常の高さより高くなり、作業性に問題があった。また、耳部の角に内容物の包装体が接触し、包装が破損するおそれもあった。
【０００３】
段ボール箱の耳部の対処法としては、例えば、連帳用紙等の物品を収納した段ボール箱の本体部に連設した屈曲自在な蓋片を前記本体部外周面に近接させた折り返し状態にて位置保持すべく、当該折り返し蓋片の外周を包囲するためのリング状保持手段からなることを特徴とする段ボール箱における蓋片の開き保持装置などが提案されている（特許文献１）が、装着や脱着時の作業性に問題を有していた。
【特許文献１】特開平１０−１９４２７５号
【考案の開示】
【考案が解決しようとする課題】
【０００４】
解決しようとする問題点は、段ボール箱に内容物を充填する際に用いられる簡便な器具が無いという点である。
【課題を解決するための手段】
【０００５】
かかる目的を達成するための考案は、段ボール箱の開口部に嵌合する脚部を有することを特徴とする段ボール箱用ロートである。
【考案の効果】
【０００６】
本考案を採用することにより、段ボール箱の開口部に本考案のロートを簡便に嵌合させることができ、耳部は水平方向に押し広げられ、かつ開口部の高さも低く抑えられることにより作業性は格段に改良され、また、作業終了後は簡単に取り外すことができるという効果を持つ。
【考案を実施するための最良の形態】
【０００７】
以下、本考案の構成を図１〜３に示す実施の形態に即して説明する。図１は、本考案の段ボール箱用ロートを示す斜視図である。脚部は段ボール箱に嵌合するように上下開放した直方体の枠部で構成されている。本考案の段ボール箱用ロートの上部は、脚部からそのまま斜め上方に延伸された構成となる。上部の形状は特に限定されるものではないが、脚部の開口部の略長方形の形状から相似形に上部へ連続した形状が好ましい。本考案の段ボール箱用ロートの材質は特に限定されるものではないが、金属製あるいは合成樹脂製であることが好ましい。
【０００８】
図２は、本考案の段ボール箱用ロートの正面図を示す。図３は本考案のボール箱用ロートの平面図を示す。
【産業上の利用可能性】
【０００９】
段ボール箱に内容物を充填する作業において、非常に有用である。
【図面の簡単な説明】
【００１０】
【図１】本考案のボール箱用ロートの斜視図である。
【図２】本考案のボール箱用ロートの正面図である。
【図３】本考案のボール箱用ロートの平面図である。
【図１】
0003112565.tif 000003
【図２】
0003112565.tif 000004
【図３】
0003112565.tif 000005
(57)【要約】【課題】爪先立ちを強制する中敷であって、爪先立ちが楽に行え、しかも軽くどのような履物にでも敷いて使用することが出来る中敷を提供する。【解決手段】履物に敷いて使用する中敷１を船舶用ＦＲＰ３を用いてその中ほどから上方に向けて彎曲させて成形し、その上面を柔らかな素材４で覆うようにした。また前記中敷１の先端から中央部分までを両面テープまたは接着剤で履物に貼り付けるようにした。【選択図】  図１
0003112541.tif 000002
【実用新案登録請求の範囲】
【請求項１】
履物に敷いて使用する中敷（１）を船舶用ＦＲＰ（３）を用いてその中ほどから上方に向けて彎曲させて成形し、その上面を柔らかな素材（４）で覆うようにした履物用中敷。
【請求項２】
前記中敷（１）の先端から中央部分までを両面テープ又は接着剤で履物に貼り付けるようにした請求項１記載の履物用中敷。
【考案の詳細な説明】
【技術分野】
【０００１】
本考案は、スリッパ、サンダルまたは靴など履物に反発力のある中敷を敷いて強制的に爪先立ちにする履物用中敷に関する。
【背景技術】
【０００２】
従来、爪先立ちを強制する履物としてかかとの部分を無くした靴またはスリッパが公知であるが、このものは常時爪先立ちで歩く必要があり直ぐに疲れてしまい長続きがしないという問題があった。この改良案として特許文献１のような折り曲げた板バネをかかとの部分に押し当てて爪先立ちを強制する履物が開示されている。然しこのものは斜めに折り曲げた板バネと平らな板バネとを重ね、リベット止めしたものであって金属性の板バネを用いているため重く履物としては長時間の使用が出来なかった。また金属を使用している為、錆、金属疲労による耐久性の低さも問題であった。
【特許文献１】特開平１０―２５７９０４号
【考案の開示】
【考案が解決しようとする課題】
【０００３】
本考案は、かかる従来の不具合を解決するために為された爪先立ちを強制する中敷であって、爪先立ちが楽に行え、しかも軽くどのような履物にでも敷いて使用することが出来る中敷を提供する。
【課題を解決するための手段】
【０００４】
本考案は、請求項１記載のように、履物に敷いて使用する中敷１を船舶用ＦＲＰ３を用いてその中ほどから上方に向けて彎曲させて成形し、その上面を柔らかな素材４で覆うようにした。また請求項２記載のように、前記中敷１の先端から中央部分までを両面テープまたは接着剤で履物に貼り付けるようにした。
【考案の効果】
【０００５】
バネ材として船舶用ＦＲＰを用いたので特許文献１のような２枚の金属板バネを使用したものに比べ低コストであり、かつ軽量で金属疲労による破損等も起こすことが無い。またどんな靴底にも容易に取り付けることができ、足腰への健康効果やダイエット効果を狙う人にも長時間の全身運動が日常的に手軽に出来る。
【０００６】
本考案の中敷を靴やスリッパまたはサンダルに取り付ける事によって中敷の反発力によって膝や踵にかかる重圧を低減させることが出来、かかとの上下、歩行が楽になり、足腰や膝に疾患のある人たちが治療と合わせて使用することもできる。また反発力によって楽に踵を上下させる運動ができるため、お腹や足の筋肉が引き締められてシェイプアップができ、女性の場合は体の上下運動によるバストの運動効果によってバストアップができる。また土踏まずの部分を刺激させることによってより健康的になれる効果がある。
【考案を実施するための最良の形態】
【０００７】
弾性のある中敷を靴やスリッパまたはサンダルなどの履物に敷いて、この中敷を踵部分に押し当てて爪先立ちを常時行うようにする。
【実施例１】
【０００８】
本考案のひとつの実施例を以下説明する。図１に示す本考案の中敷１は、スリッパ２に敷いて使用するものであって、足型に合わせた船舶用ＦＲＰ３を用いてその中ほどから上方に向けて彎曲させて成形し、その上面に柔らかな素材４、例えばフェルト地の布や軟質の樹脂材を被せてある。この中敷１をスリッパ２に嵌めて爪先から土踏まず部分まで両面テープ又は接着剤で貼り付け固定して使用する。
【０００９】
かかるスリッパを足に履くと足裏の中ほどから踵に掛けてＦＲＰの弾性で上方に持ち上げられるので爪先立ちが強制される。この状態を数分間維持すれば背筋が伸びて姿勢が良くなる。また爪先状態で上下にしゃがみ動作を繰り返すことによりヒップを引き締めたり、バストアップを図ることが出来る。
【実施例２】
【００１０】
また、靴に使用する場合は、図３のように通常の中敷のように靴５に嵌めこんで使用する。この場合は通常の中敷のように単に嵌めこむだけで良く両面テープまたは接着剤等を用いずとも外れることがない。
【図面の簡単な説明】
【００１１】
【図１】本考案の中敷をスリッパに装着した状態図である。
【図２】中敷の側断面図である。
【図３】中敷を靴にはめ込んだ状態を示す断面図である。
【符号の説明】
【００１２】
１  中敷
２  スリッパ
３  船舶用ＦＲＰ
４  柔らかな素材
５  靴
【図１】
0003112541.tif 000003
【図２】
0003112541.tif 000004
【図３】
0003112541.tif 000005
(57)【要約】【課題】広告宣伝機能を付加した競馬レースの競争馬ゼッケンを提供する。【解決手段】競馬レースの競走馬に装着するゼッケンの本体表面に広告媒体の着脱手段を有する広告表示部を設け、競馬レース、競走馬、騎乗騎手を選択して所望の前記ゼッケンの広告表示部に所望の広告媒体を着脱自在に掲示できるようにした。【選択図】図１
0003112582.tif 000002
【実用新案登録請求の範囲】
【請求項１】
競馬レースの競走馬に装着するゼッケンであって、ゼッケン本体表面に広告媒体の着脱手段を有する広告表示部を設け、競馬レース、競走馬、騎乗騎手を選択して所望の前記ゼッケンの広告表示部に所望の広告媒体を着脱自在に掲示できるようにしたことを特徴とする競馬レースの競走馬ゼッケン
【考案の詳細な説明】
【技術分野】
【０００１】
本考案は、競馬レースの競走馬に装着するゼッケンに関する。
【背景技術】
【０００２】
競馬レースは広い競馬場で多数の観客の注目の中で展開され、大きなレースではテレビに放映される。レースに出場する競走馬は背上にゼッケンを装着し、騎手が騎乗して行われるが、従来の競走馬のゼッケンは、馬番号、馬名が表示されており、レースにおける馬の着順を認識する標識機能だけを目的として製作されていた。
【考案の開示】
【考案が解決しようとする課題】
【０００３】
しかしながら、このような大観衆が見る競走馬のゼッケンに馬番号と馬名しか表示されていないのは広告、宣伝効果を考えると大きな損失である。これは、競馬は主として馬の着順が注目の的となる傾向のレースであるという理由があるにせよ、レース前の下見やレース後の優勝馬の表彰場面等を考えると、競走馬のゼッケンが観衆の目にさらされる時間は決して短くはない。
【０００４】
ところで、競走馬に使用されるゼッケンは競馬主催者によって付与されるものであり、馬番号も騎手もレース毎に変わる。
他方、広告主は所望のレース、所望の競走馬、所望の騎手を選択して所望の広告を提供したいと考える。
従って、ゼッケンに予め広告を掲示して使用するにはその都度、多種多様のゼッケンを用意しなければならず、コストがかかり多大の無駄も生ずる。
【０００５】
従って、本考案の目的は、競走馬、騎乗騎手の識別機能に企業等の広告宣伝機能を選択可能に結合させ、簡単な加工と着脱操作で広告手段としての付加価値を備えた競走馬ゼッケンを提供することにある。
【課題を解決するための手段】
【０００６】
上記目的を達成するために、本考案の競走馬ゼッケンは、ゼッケン本体表面に広告媒体の着脱手段を有する広告表示部を設け、競馬レース、競走馬、騎乗騎手を選択して所望の前記ゼッケンの広告表示部に所望の広告媒体を着脱自在に掲示できるようにしたことを特徴とする。
【考案の効果】
【０００７】
本考案は、馬番号、馬名を表示したゼッケンに広告を掲載することにより一度に多数の観客、テレビ視聴者に企業や商品の宣伝を行うことができるので付加価値が飛躍的に増大する。
【０００８】
ゼッケン本体の広告表示部に広告を表示したシート等の広告媒体を着脱自在に装着できるようにしたことにより、レース、競走馬、騎手を選択して、好みのゼッケンに広告を掲示できるので、低コストで大きな宣伝効果を上げることができる。
【考案を実施するための最良の形態】
【０００９】
以下、本考案の実施例を添付図面に基づいて説明する。
図１は競馬レースにおいて競走馬の背上に乗せて装着するゼッケンであって、このゼッケン１のゼッケン本体１ａには馬名２と、馬番号３が表示されており、これにより、レースの馬の着番を認識できるようになっている。
【００１０】
一般に競走馬のゼッケン１は、図１に示すように、馬の背に乗せたときに背の前後左右を覆うように所定の面積をもった厚手の布地で構成され、中央部に鞍を乗せるようになっている。
前記鞍は、ゼッケン１からずれないように中央にバランスよく乗せられ、前記馬名２と馬番号３は鞍の前方又は後方の一方の空白部分（図の例では後方空白部４）に表われるように表示されている。従って、ゼッケン１の鞍の他方は空いたままになっている。
【００１１】
本考案は、ゼッケン１の前記他方の空白部分５に広告宣伝を着脱自在に表示することができる広告表示部６を設け、この広告表示部６に広告シートなどの別体の広告媒体７を着脱自在の装着手段で取付けできるようにしてある。
【００１２】
広告媒体７は表面にトレードマークなどの広告を表わし、裏面に前記ゼッケン１の広告表示部６に着脱する係合手段８を設けてある。
【００１３】
ゼッケン本体１ａの広告表示部６への広告媒体７の係合手段８は、図のように広告表示部６と広告媒体７の裏面をマジックテープ面にして相対する面を両面接着で係合してもよく、いずれか一方の面を片面接着にしてもよい。また、ファスナー、ホック、ボタン等で着脱できるようにしてもよい。
【００１４】
なお、図の実施例では馬の背に乗せたときのゼッケン１の左右に個別の広告表示部６を設け、各々の広告表示部６に個別の広告媒体７を着脱する場合を例示したが、ゼッケン１の左右広告表示部６にまたがる一連の広告媒体７で構成してもよい。
【産業上の利用可能性】
【００１５】
競走馬用ゼッケンに広告を表示することにより、レースの着順にからむ動く広告として印象の強い広告宣伝効果が得られる。
【００１６】
ゼッケンに広告を着脱自在に装着できるようにしたことにより、単一の広告媒体を多種多様のレース、競争馬、騎乗騎手を選択して使用できるので低コストで効率のよい宣伝効果が得られる。
【図面の簡単な説明】
【００１７】
【図１】広告媒体を装着した状態の本考案の実施例による競走馬ゼッケン平面図
【図２】広告媒体装着前のゼッケン平面図
【図３】広告媒体表面
【図４】広告媒体裏面
【図５】本考案によるゼッケンの使用説明図
【符号の説明】
【００１８】
１…競走馬ゼッケン
１ａ…ゼッケン本体
２…馬名
３…馬番号
４、５…空白部
６…広告表示部
７…広告媒体
８…係合手段
【図１】
0003112582.tif 000003
【図２】
0003112582.tif 000004
【図３】
0003112582.tif 000005
【図４】
0003112582.tif 000006
【図５】
0003112582.tif 000007
(57)【要約】【課題】上肢の不自由な高齢者や障害者あるいは平衡感覚のとれない者にとっては、履物の向きを変えたり身体の向きを変えるだけの行為に極端に時間をとられたり、場合によってはめまいを覚えたり、最悪の場合は転倒事故も起こしかねない。【解決手段】明細書、図面に記されたように簡単な装置で履物の向きを変え、高齢者、障害者に安価な補助装置を製作提供する。【選択図】  「図１」
0003112588.tif 000002
【実用新案登録請求の範囲】
【請求項１】
履物の向きを自動で反転させる装置
【考案の詳細な説明】
【考案の詳細な説明】
【技術分野】
【０００１】家屋あるいは部屋の入室時、履物を脱いだ後の向きは、身体の向きを変えて脱がない限り進行方向へつま先を向けたままの状態となる。つまり履くときは靴の向きが逆になっており、身体を逆に向けて履くか、あるいは腰をかがめ、手で靴の向きを反転させてから履くかのいずれかである。本実用新案は靴を自動的に反転させ、身体の反転や手で靴の向きを変える等の手間をなくすものである。
【背景技術】
【０００２】従来、長い棒の先に金具を付け、靴を引っかけ、腰をかがめずに向きを変える道具は市販されている。
【考案が解決しようとする課題】
【０００３】前述手作業による方法は、腰に負担をかけない点では有効であるが、何らかの理由あるいは障害で手を使えない者には無効である。
【課題を解決するための手段】
【０００４】以上の様な理由により以下の様な方法を考えた。
【実施例】
【０００５】台の上で靴を脱ぎ電動モーターでその台を１８０度自動で回す。
本考案の実施例を１例、代表例として図１に示す。【０００６】図１において装置は固定円盤ａと、回転円盤ｂにて構成されている。【０００７】固定円盤ａと、回転円盤ｂはスラスト方向に遊びのあるベアリングｃで締結されている。回転円盤はスプリングで支えられた２個のローラーｄとおなじくスプリングで支えられた駆動モーターギアボックスｅを介した駆動ローラーｆの３点で持ち上げられている。【０００８】このスプリングは靴等の軽荷重では沈まないよう調整されているが、人が乗った時の重荷重ではスプリングは沈み、回転円盤ｂは９本の支柱ｇで支えられる。尚９本の支柱ｇの上面にはゴムが貼ってあり回転円盤ｂは重荷重がかかっている限りその摩擦力で回転することはない。以上の機構は人が回転円盤に乗っているときは決して回らない安全対策である。【０００９】いっぽう、人が乗っていない状態でフットスイッチｈを踏むと駆動ローラーｆが回り回転円盤ｂが回る。回転円盤ｂの裏面には１８０度の位相でドグｉがついてお、これを停止用リミットスイッチｊが踏むと回転は止まる。これで履物の向きを反転させるのである。【００１０】また本装置の発展形としてカメラまたは光電スイッチを用い上面より靴の向きを監視し、反対向きになっている場合は信号を出し、はきやすい向きになるまで回転盤を回す制御もできる。
【考案の効果】
【００１１】
【００１２】本考案は上肢の不自由な高齢者や障害者の手助けになるものと考えます。
【００１３】また医療関係においては看護士等の関係者が患者へのサービスで履物に触れずに治療行為が行える等の衛生を保つ為の道具になることも考えられます。
【００１４】図１の実施例においては単純な構造で、安価な製作が可能であり、また保守も容易であります。
【図面の簡単な説明】
【図１】  本願のリミットスイッチによる回転制御方法。
【図２】  電気回路図
【符号の説明】
ａ…固定円盤、ｂ…回転円盤、ｃ…ベアリング、ｄ…ローラー、
ｅ…駆動モーターギアボックス、ｆ…駆動ローラー、ｇ…支柱、
ｈ…フットスイッチ、ｉ…ドグ、ｊ…リミットスイッチ、
【図１】
0003112588.tif 000003
【図２】
0003112588.tif 000004
【手続補正書】
【提出日】平成15年12月24日(2003.12.24)
【手続補正１】
【補正対象書類名】実用新案登録請求の範囲
【補正対象項目名】全文
【補正方法】変更
【補正の内容】
【実用新案登録請求の範囲】
履物を脱ぐ円盤状の台の下面に小型モーターを取り付け、フットスウィッチを踏むことにより、これを回す。またリミットスウィッチを設けた簡単な電気回路で１８０°回ったら自動的に止まる機構。
円盤状の台はスプリングによりフローティングしており、安全上人が乗った場合は沈み込み回らない構造となっている。従って空荷か靴程度の荷重の物が乗った場合にしか回らない。
【手続補正２】
【補正対象書類名】図面
【補正対象項目名】図１
【補正方法】変更
【補正の内容】
【図１】
0003112588.tif 000005
【手続補正書】
【提出日】平成16年4月26日(2004.4.26)
【手続補正１】
【補正対象書類名】実用新案登録請求の範囲
【補正対象項目名】全文
【補正方法】変更
【補正の内容】
【実用新案登録請求の範囲】
【請求項１】
円盤状の台において、付加状態では回転せず無付加で回転する機構に小型モーターを組み込んだ１８０°割り出す履き物自動反転装置。
【手続補正書】
【提出日】平成16年8月27日(2004.8.27)
【手続補正１】
【補正対象書類名】実用新案登録請求の範囲
【補正対象項目名】全文
【補正方法】変更
【補正の内容】
【実用新案登録請求の範囲】
靴の向きを電動で１８０°回転させる円盤装置で、
構造としては、円盤はスプリング付きボールキャスターで支えらており、滑らかに回転しますが、人が乗った時の荷重ではスプリング付きボールキャスターが沈み回らなくなります。
回る駆動源は電動モーターで、円盤裏面に付いた２個のドッグにより電動モーターを円盤が１８０°回った位置で停止させます。
【手続補正書】
【提出日】平成17年1月7日(2005.1.7)
【手続補正１】
【補正対象書類名】実用新案登録請求の範囲
【補正対象項目名】全文
【補正方法】変更
【補正の内容】
【実用新案登録請求の範囲】
【請求項１】
電動で回転させる円盤装置で、構造としては、円盤はスプリング付きボールキャスターで支えらており、滑らかに回転するが、人が乗った時の荷重ではスプリング付きボールキャスターが沈み回らなくなる１８０°回転し停止する履物の向きを自動で反転させる装置。
(57)【要約】  【課題】  踏ん張りが利くあしゆびグリップを提供する。  【解決手段】  あしゆびグリップ１は、連環部１０と、土台部２０とからなり、オレフィン系エラストマーを用いて射出成型により一体に形成されている。このうち連環部１０は、足の人差指、中指、薬指の各足指に嵌挿可能な３つの輪が連なる形状に形成されている。土台部２０は、連環部１０の各輪を各指に嵌めた状態で地面を踏んだとき、各指と地面との間にできる空間を埋める形状、及び、大きさに形成されている。このように構成されたあしゆびグリップ１では、連環部１０を足指に嵌挿すると足指同士が離れるので、それぞれの足指が独立して可動する状態となり、また、土台部２０によってそれらの独立した足指全体でしっかりと地面を蹴ることができるようになる。そのためこのあしゆびグリップ１を用いると、足指でうまく踏ん張ることができ、足の筋力を使って蹴り出すことができる。【選択図】  図１
0003112553.tif 000002
【実用新案登録請求の範囲】
【請求項１】
足の人差指、中指、薬指の各足指に嵌挿可能な３つの輪が連なる連環部と、
この連環部の各輪を前記各足指に嵌めた状態で地面を踏んだとき、前記各足指と地面との間にできる空間を埋める台座部と
を備え、
前記連環部と前記台座部とが弾性部材で一体に形成されていることを特徴とするあしゆびグリップ。
【請求項２】
請求項１記載のあしゆびグリップにおいて、
前記弾性部材はオレフィン系エラストマーであることを特徴とするあしゆびグリップ。
【考案の詳細な説明】
【技術分野】
【０００１】
本考案は、足指に嵌めて使用するあしゆびグリップに関する。
【背景技術】
【０００２】
従来より、足の人差指、中指、薬指の各足指に嵌挿可能な３つの輪が連なる連環部からなるサックがある（特許文献１）。このサックは、それぞれの輪に各足指を嵌挿すると、輪の一部が足指の間に配置されるため、足指同士を離した状態にすることができる。
【０００３】
そのため、このサックを用いると足指の間の通気性がよくなるので、水虫を防止することができる。
【特許文献１】実願平１１−２５１８号
【考案の開示】
【考案が解決しようとする課題】
【０００４】
ところで、現代の女性は窮屈な靴につま先が閉じ込められており、そのため不自然な形での歩行を強いられている。そのため、女性はうまく踏ん張ることができないため、足の筋力を使って蹴り出すことができなくなっている。
【０００５】
そこで本考案では、上述した問題点を解決し、踏ん張りが利くあしゆびグリップを提供することを目的とする。
【課題を解決するための手段】
【０００６】
上述した問題点を解決するためになされた請求項１に記載の考案は、足指に嵌めて利用する健康器具であるあしゆびグリップに関する考案であって、足の人差指、中指、薬指の各足指に嵌挿可能な３つの輪が連なる連環部と、この連環部の各輪を前記各足指に嵌めた状態で地面を踏んだとき、前記各足指と地面との間にできる空間を埋める台座部とを備え、前記連環部と前記台座部とが弾性部材で一体に形成されていることを特徴とする。
【０００７】
このあしゆびグリップでは、連環部を足指に嵌挿すると、従来のサックと同じように足指同士が離れるので、それぞれの足指が独立して可動する状態となり、また、土台部によってそれらの独立した足指全体でしっかりと地面を蹴ることができるようになる。そのためこのあしゆびグリップを用いると、足指でうまく踏ん張ることができ、足の筋力を使って蹴り出すことができる。
【０００８】
尚、弾性部材は、ゴム材やシリコーン等でもよいが、弾力性、フィット性を考慮するとオレフィン系エラストマーを用いることが好ましい。
【考案を実施するための最良の形態】
【０００９】
以下、本考案を実施するための最良の形態について図面を用いて説明する。
図１（ａ）はあしゆびグリップの斜視図、図１（ｂ）は足指グリップを伸ばした様子を説明するための説明図、図２（ａ）はあしゆびグリップを足指に嵌めた様子を足の甲が見える方向から見た模式図、図２（ｂ）はあしゆびグリップを両足の足指に嵌めた様子を足の裏が見える方向から見た模式図である。
【００１０】
本実施形態のあしゆびグリップ１は、連環部１０と、土台部２０とからなり、オレフィン系エラストマーを用いて射出成型により一体に形成されている。
このうち連環部１０は、足の人差指、中指、薬指の各足指に嵌挿可能な３つの輪１０ａ、１０ｂ、１０ｃが連なる形状に形成されている。この連環部１０を実際に足指に嵌挿するときは、このあしゆびグリップ１全体が図１（ｂ）に示すようにオレフィン系エラストマーで形成され弾性変形可能に形成されているので、各輪１０ａ、１０ｂ、１０ｃが連なる方向の両端を指でつまんで引き伸ばして、各輪１０ａ、１０ｂ、１０ｃの径を大きくした状態で、図２（ａ）のように嵌挿する。
【００１１】
土台部２０は、連環部１０の各輪１０ａ、１０ｂ、１０ｃを各指に嵌めた状態で地面を踏んだとき、各指と地面との間にできる空間を埋める形状、及び、大きさに形成されており、このあしゆびグリップ１を足指に嵌挿すると、図２（ｂ）に示すようになる。
【００１２】
このように構成されたあしゆびグリップ１では、連環部１０を足指に嵌挿すると足指同士が離れるので、それぞれの足指が独立して可動する状態となり、また、土台部２０によってそれらの独立した足指全体でしっかりと地面を蹴ることができるようになる。そのためこのあしゆびグリップ１を用いると、足指でうまく踏ん張ることができ、足の筋力を使って蹴り出すことができる。
【００１３】
また、このあしゆびグリップ１を用いると、足指でうまく踏ん張ることができるため、これまで使われなかった筋肉も使われるようになるためダイエット効果がある。
また、このあしゆびグリップ１を用いると、足指でうまく踏ん張ることができるため、姿勢がよくなり、美しい歩行が可能となる。
【００１４】
また、このあしゆびグリップ１を用いると足底筋が鍛えられるので、外反母趾、開帳足等の足のトラブルをサポートすることできる。
尚、以上本考案の一実施形態ついて説明したが、本考案はこの実施形態に何等限定されるものではなく、本考案の要旨を逸脱しない範囲において、種々なる態様で実施し得ることは勿論である。
【図面の簡単な説明】
【００１５】
【図１】（ａ）はあしゆびグリップの斜視図、（ｂ）は足指グリップを伸ばした様子を説明するための説明図である。
【図２】（ａ）はあしゆびグリップを足指に嵌めた様子を足の甲が見える方向から見た模式図、（ｂ）はあしゆびグリップを両足の足指に嵌めた様子を足の裏が見える方向から見た模式図である。
【符号の説明】
【００１６】
１…あしゆびグリップ、１０…連環部、２０…土台部
【図１】
0003112553.tif 000003
【図２】
0003112553.tif 000004
(57)【要約】【課題】  発光ダイオードから発する熱を有効に放熱することができ、発光ダイオードを保護して、長期間の使用を可能とする発光ダイオードランプの放熱構造を提供すること。【解決手段】  熱伝導率が高い素材より成る放熱板２と基板４との間に、熱伝導率が高く絶縁性に富んだ素材より成る熱伝導パッド３を挟んで積層すると共に、放熱板２の表面に複数の発光ダイオード１を配置して面状の発光体を形成し、発光ダイオード１の端子１１を、放熱板２に穿設した上部挿通孔２１へ挿通して、熱伝導パッド３を貫通し、基板４に穿設した下部挿通孔４１へ挿通して接合してある。【選択図】          図３
0003112555.tif 000002
【実用新案登録請求の範囲】
【請求項１】
熱伝導率が高い素材より成る放熱板と基板との間に、熱伝導率が高く絶縁性に富んだ素材より成る熱伝導パッドを挟んで積層すると共に、前記放熱板の表面に複数の発光ダイオードを配置して面状の発光体を形成し、前記発光ダイオードの端子を、前記放熱板に穿設した上部挿通孔へ挿通して、前記熱伝導パッドを貫通し、前記基板に穿設した下部挿通孔へ挿通して接合したことを特徴とする発光ダイオードランプの放熱構造。
【考案の詳細な説明】
【技術分野】
【０００１】
本考案は、街灯、ビームライト、信号機ランプのような高効率ランプに好適な発光ダイオードランプの放熱構造に関する。
【背景技術】
【０００２】
家庭用照明灯は、古くからワット数の高い白熱電球から蛍光灯へと変化し、さらに、蛍光灯から省電力型のＰＬライトや安定期を備えた電球へと変化し、数十年という短期間に著しい進歩を遂げている。
しかし、高投射性と高照明度を必要とするランプについては、長い間消費電力及び発熱量が高い段階にとどまっており、安全性に大きな問題がある。
特に、街灯やビームライトでは、ランプカバーを完全に密封した状態で使用するため、ランプの熱による密封空間内での温度上昇が非常に大きくなり、危険性が高い。
【０００３】
このため、近年では、街灯、ビームライト等も徐々に改良され、発光ダイオードで代替するようになっている。発光ダイオードは、高輝度を有し、投射距離の長さ及び集光性に優れ、消費電力が低く、価格が低廉であるという様々な特長を備える。
しかし、発光ダイオードを用いても、発生した熱による温度上昇の問題は避けることができず、高熱が焼損を引き起こすことは周知の通りである。
【考案の開示】
【考案が解決しようとする課題】
【０００４】
本考案が解決しようとする課題は、発光ダイオードから発する熱を迅速に放熱することができ、発光ダイオードを保護して、長期間の使用を可能とする発光ダイオードランプの放熱構造を提供することにある。
【課題を解決するための手段】
【０００５】
本考案の発光ダイオードランプの放熱構造は、熱伝導率が高い素材より成る放熱板と基板との間に、熱伝導率が高く絶縁性に富んだ素材より成る熱伝導パッドを挟んで積層すると共に、前記放熱板の表面に複数の発光ダイオードを配置して面状の発光体を形成し、発光ダイオードの端子を、前記放熱板に穿設した上部挿通孔へ挿通して、前記熱伝導パッドを貫通し、前記基板に穿設した下部挿通孔へ挿通して接合してある。
【考案の効果】
【０００６】
本考案によれば、発光ダイオードから発生する熱を熱伝導パッド全面に拡散し、さらに放熱板の全面に伝えて、広い面積の放熱面から迅速に放熱することができるので、外気に開放された空間のみならず、ランプカバー内の狭い密封空間に設置されても、発光ダイオードが温度上昇によって損傷を受けることなく、長時間に亘り効率よく発光することが可能となる。
【考案を実施するための最良の形態】
【０００７】
以下、本考案の実施例を図面に基づいて詳細に説明する。
本考案の発光ダイオードランプの放熱構造は、図２及び図３に示すように、複数の発光ダイオード１、放熱板２、熱伝導パッド３及び基板４を備える。
発光ダイオード１は高輝度タイプのものを使用し、複数の発光ダイオード１を放熱板２の表面中央部分に配置して、面状の発光体を形成する。
【０００８】
放熱板２は、金属等の熱伝導率の高い素材より成り、発光ダイオード１を設置する個所には、発光ダイオード１の２本の熱伝導ピン１１（端子、図１参照）が挿通される２個の上部挿通孔２１をそれぞれ穿設する。上部挿通孔２１には絶縁加工を施してある。
熱伝導パッド３は、熱伝導率が高く、絶縁性がある軟質プラスチック等の素材から成り、放熱板２の裏面全面に貼着されている。
基板４は、熱伝導パッド３の裏面に積層され、基板４に配線された回路上において、上部挿通孔２１と対応する位置に、熱伝導ピン１１を挿通して接合するための下部挿通孔４１がそれぞれ穿設される。
【０００９】
図４に示すように、発光ダイオード１の熱伝導ピン１１は、放熱板２の上部挿通孔２１に挿通され、熱伝動パッド３を貫通して、基板の下部挿通孔４１へ挿通されて接合される。発光ダイオード１は、下部挿通孔４１へ接合することにより、面状発光体の適切な位置へ位置決めされる。
発光ダイオード１の熱伝導ピン１１の上部には発熱部Ａがあり、この発熱部Ａは熱伝導パッド３で包まれているので、発生した熱は熱伝導率の高い熱伝導パッド３全面に拡散し、さらに放熱板２全体に伝導されて、迅速に放熱される。
【００１０】
放熱板２をランプカバーの一部として成型し、この放熱板２を外気と接触させれば、ランプカバー内の狭い密封空間の温度上昇を確実に抑制することができる。
また、熱伝導パッド３は高い絶縁性を有しているので、熱伝導ピン１１は電気的に絶縁され、安全性が高い。
【図面の簡単な説明】
【００１１】
【図１】本考案の実施例に係る発光ダイオードの側面図。
【図２】本考案の実施例を示す発光ダイオードランプの放熱構造の斜視図。
【図３】本考案の実施例を示す発光ダイオードランプの放熱構造の分解斜視図。
【図４】本考案の実施例を示す発光ダイオードランプの放熱構造の断面図。
【符号の説明】
【００１２】
１  発光ダイオード
１１  熱伝導ピン（端子）
２  放熱板
２１  上部挿通孔
３  熱伝導パッド
４  基板
４１  下部挿通孔
Ａ  発熱部
【図１】
0003112555.tif 000003
【図２】
0003112555.tif 000004
【図３】
0003112555.tif 000005
【図４】
0003112555.tif 000006
(57)【要約】【課題】従来のものより盗難を困難にした、デスクトップパソコン盗難防止装置を提供する。【解決手段】以上の課題を解決するために、デスクトップパソコン本体に本考案の防犯ブザーを強力両面テープでパソコン底部と側面に貼り付ける。パソコンを持ち上げることによって６のボスが飛び出し、５のスイッチがオンし、４の回路により増幅された音が、７のスピーカーから大音響となって響き渡るため、盗難から守ることが出来る。【選択図】図２
0003112594.tif 000002
【実用新案登録請求の範囲】
【請求項１】
デスクトップパソコン下部に取り付け、パソコンを持ち上げたときに作動し大音響が鳴り続く、デスクトップパソコン防犯ブザー盗難防止器具。
【考案の詳細な説明】
【技術分野】
【０００１】  この発明は、デスクトップパソコン盗難防止装置の形状に関する。
【背景技術】
【０００２】  従来のデスクトップパソコン盗難防止器具はワイヤーを使用するものや、「実用新案登録第３１０２７１６号」の机にいたずら防止ネジなどで固定するものがあるが、いたずら防止ネジを使用していても、専用ドライバーを入手すれば取り外して盗難することは出来るため、図に示すようなデスクトップパソコン用防犯ブザー盗難防止装置を考案したものである。
【考案の開示】
【考案が解決しようとする課題】
【０００３】  ワイヤーと錠前を使用する盗難防止方法や机にネジで固定する盗難防止方法があったが、ワイヤーを切断したり、固定ネジを取り外しした場合、簡単に盗難にあう事が多かった。それに代えて、デスクトップパソコンを盗難から守る有効な盗難防止方法が提供されていなかった。
【課題を解決するための手段】
【０００４】  以上の課題を解決するために、デスクトップパソコン本体を、持ち去るときに、パソコンを持ち上げると作動する防犯ブザーで大音響を響かせれば、盗難から守ることが出来る。
第一考案は、持ち上げたときにスイッチが作動し、大音響回路によって増幅された音がスピーカーを通じ大きな音が出るようにしたものを金属製収納箱に入れ、それをデスクトップパソコンの底部に取り付けることを特徴とする盗難防止器具（図１）である。
【考案の効果】
【０００５】  第一考案によれば、本装置を取付けたデスクトップパソコンを持ち上げた場合、大音響の警報が鳴り続けるため、すぐに発見されやすく盗難することが困難である。
【考案を実施するための最良の形態】
【０００６】  次に本考案を図面に基づいて説明する。図１は本考案の正面図である。図２は本考案のデスクトップパソコンに取り付けている状態の断面図である。図３は本考案にデスクトップパソコン盗難防止装置の取付け状態を示す斜視図である。
盗難防止器具は、デスクトップパソコン本体の底部や側面に強力両面テープで接着し一体となる様にしたものである。パソコン本体を９の机から持ち上げると、盗難防止器具の下部にある６のボスが飛び出し、５のスイッチが入る。すると、３の電源により４の増幅回路が働き、７のスピーカーから大きな音が鳴り響くようにしたものである。
「実施形態の効果」【０００７】  この実施形態によれば、盗難しても大音響が鳴り続くため発見されやすく盗難防止器具として効果がある。
【図面の簡単な説明】
【０００８】
【図１】この考案の一実施形態を示す正面からの断面図である。
【図２】この考案の一実施形態を示す横からの断面図である。
【図３】この考案の取り付け状態を示す斜視図である。
【符号の説明】
【０００９】１  デスクトップパソコン本体          ２  考案の収納箱
３  内蔵電池                          ４  音響増幅回路
５  マイクロスイッチ                  ６  ボス
７  スピーカー                        ８  強力両面テープ
９  机
【図１】
0003112594.tif 000003
【図２】
0003112594.tif 000004
【図３】
0003112594.tif 000005
【手続補正書】
【提出日】平成17年1月4日(2005.1.4)
【手続補正１】
【補正対象書類名】実用新案登録請求の範囲
【補正対象項目名】全文
【補正方法】変更
【補正の内容】
【実用新案登録請求の範囲】
【請求項１】
デスクトップパソコン本体の盗難を防止するものであって、金属製箱の中に、机から持ち上げると接続するスイッチと、スイッチが入ると音響回路で増幅されスピーカーから大音響が発する構造のものを収納し、それを前記パソコン底部に簡単に取り去ることが出来ないように貼り付け、前記パソコンを持ち上げると大音響を発することを特徴とするパソコン盗難防止装置。
【手続補正２】
【補正対象書類名】図面
【補正対象項目名】全図
【補正方法】変更
【補正の内容】
【図１】
0003112594.tif 000006
【図２】
0003112594.tif 000007
【図３】
0003112594.tif 000008